(57)【特許請求の範囲】
【請求項１】
棒状製品のためのケースの内部に嵌め込まれる保持カップであって、前記ケースは、
壁と壁の内部の長手方向の軌道とを有する内側スリーブであって、長手方向の軌道が第１の上部側方部分と第２の上部側方部分とを有し、第１の上部側方部分が斜面を有している、内側スリーブと、
内側スリーブの周りに嵌められ内側スリーブに対して回転できる外側スリーブであって、内壁と外壁と内壁に沿ったらせん軌道とを有している外側スリーブと、を具備するケースであり、
保持カップは前記内側スリーブに嵌込まれていて、該保持カップが、
内側表面と外側表面とを有する殻体と、
外側表面に取付けられ前記長手方向の軌道を通って延び前記らせん軌道に係合する突起と、
突起の下側に位置し保持カップの殻体の一部を構成し、第１の伸長した位置と第２の引込んだ位置とを占めることのできるベローズ部分、とを具備しており、
該ベローズ部分はその底端部に、前記長手方向の軌道に嵌まりかつ前記内側スリーブの壁からは延出しない小突起を有し、
該小突起を前記第２の上部側方部分によって保持しながら、前記第１の上部側方部分の斜面に沿って前記突起を動かすことにより、前記ベローズ部分を伸縮させることができる保持カップ。
【請求項２】
棒状製品が保持カップの中に置かれている請求項１に記載の保持カップ。
【請求項３】
棒状製品が、棒状口紅、体臭防止用化粧品、唇用香油、メーキャップファンデーション、透明化粧用棒状物、にきび防止棒状物、陰蔽材、及び日除け棒状物からなる群から選択される請求項２に記載の保持カップ。
【請求項４】
ベローズ部分が引込んだ位置にある時棒状製品を掴み突刺す隆起部を形成している請求項２に記載の保持カップ。
【請求項５】
長手方向軌道が第１の下部側方部分と第２の下部側方部分とを有し、ベローズ部分が引込んだ位置にある状態で、前記突起および小突起をそれぞれ前記第１の下部側方部分および第２の下部側方部分に沿って動かすことができる請求項１に記載の保持カップ。
【請求項６】
保持カップが内側スリーブと外側スリーブとの相対回転によって前進位置と引込み位置との間で軸方向の経路を動くことができる請求項１に記載の保持カップ。
【請求項７】
棒状製品のためのケースであって、
壁と壁の内部の長手方向の軌道とを有する内側スリーブであって、長手方向の軌道が第１の上部側方部分と第２の上部側方部分とを有し、第１の上部側方部分が斜面を有している、内側スリーブと、
内側スリーブの周りに嵌められ内側スリーブに対して回転できる外側スリーブであって、内壁と外壁と内壁に沿ったらせん軌道とを有している外側スリーブと、
内側スリーブに嵌込まれた保持カップ、
とを具備し、
前記保持カップが
内側表面と外側表面とを有する殻体と、
外側表面に取付けられ長手方向の軌道を通って延びらせん軌道に係合する突起と、
突起の下側に位置し保持カップの殻体の一部を構成し、第１の伸長した位置と第２の引込んだ位置とを占めることのできる、ベローズ部分、とを具備しており、
該ベローズ部分はその底端部に、前記長手方向の軌道に嵌まりかつ前記内側スリーブの壁からは延出しない小突起を有し、
該小突起を前記第２の上部側方部分によって保持しながら、前記第１の上部側方部分の斜面に沿って前記突起を動かすことにより、前記ベローズ部分を伸縮させることができる、棒状製品のためのケース。
【請求項８】
長手方向の軌道が第１の下部側方部分と第２の下部側方部分とを有し、ベローズ部分が引込んだ位置にある状態で、前記突起および小突起をそれぞれ前記第１の下部側方部分および第２の下部側方部分に沿って動かすことができる請求項７に記載のケース。
【請求項９】
棒状製品が保持カップの内部に置かれている請求項７に記載のケース。
【請求項１０】
棒状製品が、棒状口紅、体臭防止用化粧品、唇用香油、メイキャップファンデーション、透明化粧用棒状物、にきび防止棒状物、陰蔽材、及び日除け棒状物からなる群から選択される請求項９に記載のケース。
【請求項１１】
ベローズ部分が収縮した位置にある時棒状製品を掴み突刺す隆起部を形成している請求項７に記載のケース。
【請求項１２】
保持カップが内側スリーブと外側スリーブとの相対回転により前進位置と引込み位置との間で軸方向の経路を動くことができる請求項７に記載のケース。
【請求項１３】
棒状製品のためのケースであって、
壁と壁の内部の長手方向の軌道とを有する内側スリーブであって、長手方向の軌道が第１の上部側方部分と、第２の上部側方部分と、第１の下部側方部分と、第２の下部側方部分とを有し、第１の上部側方部分が斜面を有している、内側スリーブと、
内側スリーブの周りに嵌められ内側スリーブに対し回転できる外側スリーブであって、内壁と内壁に沿ったらせん軌道とを有している、外側スリーブと、
内側スリーブに嵌込まれた保持カップ
とを具備し、
保持カップが、
内側表面と外側表面とを有する殻体と、
外側表面に取付けられ長手方向の軌道を通って延びらせん軌道に係合する突起と、
突起の下側に位置し、保持カップの殻体の一部を構成し、第１の伸長した位置と第２の引込んだ位置とを占めることができる、ベローズ部分であって、引込んだ位置にある時棒状製品を掴み突刺す隆起部を形成する、ベローズ部分と、
ベローズ部分の底端部に取付けられた小突起であって、前記長手方向の軌道に嵌まりかつ前記内側スリーブの壁からは延出せず、また、保持カップが前進した位置にある時第２の上部側方部分に係合する小突起、とを具備しており、
該小突起を前記第２の上部側方部分によって保持しながら、前記第１の上部側方部分の斜面に沿って前記突起を動かすことにより、前記ベローズ部分を伸縮させることができ、また、
ベローズ部分が引込んだ位置にある状態で、前記突起および小突起をそれぞれ前記第１の下部側方部分および第２の下部側方部分に沿って動かすことができる、棒状製品のためのケース。
【請求項１４】
棒状製品が保持カップの内部に置かれている請求項１３に記載のケース。
【請求項１５】
棒状製品が棒状口紅、体臭防止用化粧品、唇用香油、メイキャップファンデーション、透明用化粧用棒状物、にきび防止棒状物、陰蔽材、及び日除け棒状物からなる群から選択される請求項１４に記載のケース。
【発明の詳細な説明】
【０００１】
発明の分野
本発明は保持カップからの棒状製品の解放を阻止する棒状製品ケースに関する。さらに詳細には本発明は棒状製品を所定位置に固定しケースに衝撃が加わったとき又は棒状製品自体が収縮したとき棒状製品が保持カップから解放されるのを阻止する保持カップに関する。
【０００２】
発明の背景
一般に、棒状口紅が製造される時、ケースは棒状口紅自体の成形とは別に組立てられる。ケースが組立てられ棒状口紅が成形された後、保持カップが前進位置に置かれ、口紅製品を受入れるのに備える。次に口紅製品がケースの保持カップの中に置かれ、保持カップが引込み位置に動かされ、カバーがカースの上に置かれ、ケースが消費者への販売のために用意される。
【０００３】
棒状製品がカップの中に保持される手段は通常棒状製品と保持カップの内壁との間の摩擦嵌合を介している。これら２つの要素、すなわち保持カップと棒状製品とは適正の摩擦嵌合が得られるような寸法に形成される。棒状製品を保持カップに保持するこの手段に関する問題は時間が経つにつれて棒状製品の寸法がしばしば多くの様々な原因により変化することである。例えば、棒状製品の寸法は、製品を成形後又は保持カップに充填後に冷却し、それによりこの冷却作用が製品を収縮させる方法に起因して、変化する。
【０００４】
また、棒状製品の製剤形態の中には揮発性成分の使用が増加しているのに伴い、収縮問題が重要となる。これらの揮発性成分は蒸発しそのため製品が収縮しそれによりカップと製品との間の摩擦嵌合がケースに衝撃が加っている間製品を所定位置に保持するには不十分となる。この収縮が生じた場合、保持カップと製品との間のいっときの適正な嵌合は、製品と所定位置に保持するには十分でなくなる。保持カップと製品との間の嵌合が製品を所定位置に保持するのに不十分である個所に収縮が生じると、ケースに対する小さな衝撃により製品が解放されるようになる。製品が保持カップから解放されると、この製品は消費者に対し実際上役に立ないものとなる。
【０００５】
最近の保持カップはこの問題を多くの異なる方法で解決しようとしている。ある種のカップは保持カップの底から突出する保持壁を設けそれにより棒状製品が保持カップに挿入された時製品と保持カップとの間により大きな表面積が得られるようにしている（ドイツ特許第３３１９０３１号、参照）。接触表面積を増大させるという同一の根拠に従って、長手方向に延びる内側リブが、米国特許第３,１７５，６８０号及び米国特許第４，５７０，１３４号に開示されているように保持カップに付加される。米国特許第４，８２０，０７０号は長手方向に延びる内側リブがありつぎ構造とされさらに大きな接触面積をもたらし棒状体を収縮が生じた後に所定位置に保持するようにしている。
【０００６】
相当量の揮発性成分を含有する棒状製品の新しい製剤形態に関し、上記の保持カップの構造により生じた摩擦力は棒状物の収縮が生じケースが衝撃を受けた後は製品を所定位置に保持するには不十分となる。不十分な摩擦力は、上記の保持カップが全て棒状物の保持カップへの挿入時に棒状製品の内部に溝を予め形成するため、棒状体の収縮後に利用できるものとなる。製品は次にこの予め形成された溝から離れるよう収縮しそのため接触表面と摩擦力とが減少する。
【０００７】
ＷＯ第９６３２０３１号は棒状口紅を突刺し口紅を所定位置に保持するスパイク（止めくぎ）を用いる保持カップを提供している。このスパイクはスナップリング又はアームに取付けられる。これら実施態様は共にスパイクを保持カップの開口を通過させそれにより棒状口紅に穴をあける。この型の保持カップは、製品が保持カップに挿入された時溝が形成されないため、棒状製品を収縮後に所定位置に保持するのに効果的である。しかしこれら実施態様は余分の組立てを必要とし又は公知の保持カップ成形技術を介して製造するのが困難である。
【０００８】
米国特許第５，５６０，７２７号は棒状口紅の保持器に設けられ口紅本体を所定位置に保持するのを助けるスプリング要素の利用を開示している。これらのスプリング要素は棒状口紅の中に押込まれ口紅保持器がケースの中に引込められるにつれて後部係合突起を形成する。この構造の欠点は後部係合突起が棒状口紅の中に押込まれた後所定位置に固定されないことである。
【０００９】
他の構造の保持カップは水平の突起を用い口紅本体をカップの内部で固定するのを助けるものである。しかしこの型の保持カップもまた新しい機械装置と製造方法の使用を必要とする。長手方向のリブつきカップのための従来の製造方法によれば、棒状製品は加熱され所望形状の成形型に注入される。棒状体が冷却され十分に固形化された後、棒状体は型から取出され予め組立てられたケースの保持カップの中に置かれる。水平のリブつきカップを用いる時は分離した型の中への棒状製品の最初の充填に代え、棒状体は保持カップ自体の内部で成形され次にケースが棒状体の周りに組立てられる。この変更された製造と組立ての方法は新しい機械装置の購入と人員の再教育とに莫大な費用を要する。しかし棒状体が成形され続いて水平のリブを有する保持カップに挿入されたならば、売るに適した製品の組立ては棒状製品を破壊し又は実質的に変形させないでは不可能となる。さらにまた、棒状物が水平のリブによって変形された後は、ケースに衝撃が加わったときカップの内部に棒状物を保持するのに十分な摩擦力が得られるとは考えられない。
【００１０】
本発明の目的はケースが衝撃を受けた時棒状製品を所定位置に固定する棒状製品ケースを提供することである。
【００１１】
本発明の他の目的は製造が簡単な棒状製品ケースを提供することである。
【００１２】
本発明の他の目的は棒状製品がその寸法が変化した後でも棒状製品を所定位置に保持し続ける棒状、製品のケースを提供することである。
【００１３】
さらに本発明の目的は包装の美観を損ねることのない比較的簡単な装置の棒状製品のケースを提供することである。
【００１４】
発明の概要
本発明は棒状製品が保持カップから解放されるのを阻止する棒状製品のためのケースである。このケースは壁と壁の内部の長手方向の軌道とを有する内側スリーブを具備している。長手方向の軌道は第１の上部側方部分と第２の上部側方部分とを有し、前記第１の上部側方部分は斜面を有している。外側スリーブが内側スリーブの周りに嵌められ内側スリーブに対し回転できるようにし、前記外側スリーブは内壁と外壁と内壁に沿ったらせん軌道とを有している。保持カップが内側スリーブの中に嵌められる。保持カップは内面と外面とを有する殻体からなっている。突起が外面に取付けられ長手方向の軌道を通って延びらせん軌道と係合する。ベローズ部分が突起の下側に位置し保持カップの殻体の一部を構成し、前記ベローズは第１の伸長位置と第２の収縮位置とを占めることができる。ベローズが伸長位置にある時、棒状製品は保持カップに棒状物自体を損傷することなく容易に挿入することができる。収縮位置にある時、ベローズは棒状製品を掴み突刺す隆起物を形成し、それにより製品を所定位置に保持する。
【００１５】
本発明のさらに他の目的、特徴及び図面は図面の助けをかりて以下に述べられる実施態様に照らしより良く理解されるであろう。
【００１６】
発明の詳細な記載
明瞭にするため、本発明は棒状口紅のケースと関連して用いられるものとして記載される。この例は単なる例示であり、本発明を棒状口紅に限定するものではない。当業者にとって、本発明の開示がどのようにして、体臭防止用化粧品、唇用香油、メーキャップファンデーション、透明の化粧用棒状物、にきび防止棒状物、陰蔽材、日除け棒状物、その他を含むがこれらに限定されない任意の棒状製品と共に用いるようにするかは、明らかとなるであろう。
【００１７】
典型的な棒状口紅のケースにおいては保持カップを前進した位置と引込んだ位置との間で動かすため、ケースは相互に対し対し回転する内側スリーブと外側スリーブとが設けられる。内側スリーブは壁と壁を通って延びる長手方向の軌道とを有する。外側スリーブは内側スリーブの周りに置かれ内側スリーブに対し回転できるようにする。外側スリーブは内壁と外壁と内壁の実質的な長さに沿って延びるらせん軌道とを有している。保持カップが内側スリーブに嵌め込まれる。保持カップは内側スリーブの長手方向軌道を通って延び外側スリーブのらせん溝と係合する一対の対向突起が設けられている。内側及び外側のスリーブが回転された時保持カップの突起が長手方向の軌道とらせん溝とによって区画形成された経路に沿って進み、それにより保持カップを前進位置と引込み位置との間で動かすようにする。
【００１８】
内側スリーブの長手方向軌道は通常上部側方部分と下部側方部分とが設けられる。上部側方部分は、保持カップの突起が載ることができる表面を設けることにより棒状口紅が消費者により塗布されている間保持カップをその前進位置に保持する作用をする。この表面が設けられていなかったならば、製品の塗布の間に発生した力が保持カップを長手方向の軌道に沿って下降させ引込んだ位置に動かし、そのため塗布を困難にする。同様に、下側部分は保持カップを引込んだ位置に保持する作用をする表面を設ける。この表面が存在しなかったならば、保持カップが引込んだ位置にある間のケースへの衝撃が保持カップを長手方向の軌道に沿って走行させ、そのため棒状製品がケースのカバーの内面に接触するようになりそれにより棒状口紅の塗布用表面が変形するようになる。
【００１９】
本発明のケースはこれら基本的特徴を保持しているが、さらに棒状物をケースにより効果的に保持することができるように変更される。要約すると、本発明は棒状物を掴み保持カップに挿入後に棒状物を所定位置に保持する隆起部を形成するため可撓性ベローズを用いる。ここで図面を参照すると、図１は本発明の棒状口紅ケースを示す。棒状口紅ケース１は、上端部３及び下端部４と壁５と、壁５を通って延びる長手方向の軌道６とを有する内側スリーブ２を具備している。外側スリーブ１０が内側スリーブ２の周りに嵌合され、内側スリーブ２に対して回転できるようにする。外側スリーブ１０は上端部１１及び下端部１２と、内壁１３及び外壁１４と、好ましくは内壁１３の実質的な長さに沿って延びるらせん軌道１５とを有している。棒状口紅のような棒状製品を保持することのできるほぼ円筒状の保持カップ２０が内側スリーブ２に嵌込まれ、保持カップ２０は長手方向の軌道６を通って延びらせん軌道１５と係合する対向突起２１を有し、それにより保持カップ２０が内側スリーブ２と外側スリーブ１０との相対回転によって前進位置と引込み位置との間で軸方向の経路上を動くことができるようにする。
【００２０】
図２Ａと２Ｂにさらに詳細に見られるように、本発明の保持カップ２０は内側表面２３と外側表面２４とを有する殻体２２を具備している。一組の２個の対向突起２１が殻体２２の外側表面２４に取付けられまた内側スリーブ２の長手方向軌道６を通って延び外側スリーブ１０のらせん軌道１５と係合するようになっている。さらに、保持カップ２０は突起２１の下側に位置する可撓性のベローズ部分２５を有し、前記ベローズ部分２５は保持カップ２０の殻体２２の一部を構成する。ベローズ２５は保持カップ２０の前進位置に相当する第１の位置（図２Ａに示される）と保持カップの引込み位置に相当する第２の位置（図２Ｂに示される）とを占めることができる。第１の位置において、ベローズ部分２５は伸長されそれによりベローズ２５の内面２６が実質的に平らになりそしておおよそカップ２０の内側表面２３の形状を呈するようになる。ベローズ２５が伸長された時、棒状製品はこれが変形又は損傷することなく保持カップ２０に容易に挿入することができる。図２Ｂに示されるように、任意の案内２７が設けられベローズ部分２５が棒状製品に向って内側に回動しないようにする。案内２７は保持カップ２０の内側２３から上方に延びベローズ部分２５に当接しベローズが内側に向って回動し棒状製品を損傷するのを阻止するようにしている。
【００２１】
図３Ａから３Ｃはベローズ２５をその伸長された位置に置く保持カップ２０の進行過程を示す。ベローズ２５を伸長位置に置くため、内側スリーブ２の長手方向軌道６には第１の上部側方部分３０と第２の上部側方部分３５とが設けられる。保持カップ２０がその前進位置に動かされるにつれて、図３Ｂに示すように、第１の上部側方部分３０が保持カップ２０の突起２１に係合し、第２の上部側方部分３５がベローズ２５の底端部３７上に位置する小突起３６に係合する。小突起３６は長手方向軌道６に嵌まりかつ内側スリーブ２の壁５を通って延出しないような大きさに形成されている。換言すれば、小突起３６は外側スリーブの内側（図示しない）と接触するに十分な長さとはなっていない。
【００２２】
第１の上部側方部分３０はさらに図３Ｃのように保持カップ２０が追加の長さを前進でるようにする斜面部分３１が設けられる。第２の上部側方部分３５にはこのような斜面は設けられていない。保持カップ２０が斜面３１の追加の長さだけ前進された時、小突起３６は第２の上部側方部分３５の最上面３８によって所定位置に保持されるため保持カップ２０の残り部分と共に前進することはできない。保持カップ２０が前進されている間小突起３６を１つの位置に保持することにより、ベローズ２５が伸長されることになる。
【００２３】
ベローズ２５が伸長された後、棒状口紅製品が保持カップ２０の内部に置かれ保持カップがケースの中に引込められる。突起２１が第１の上部側方部分３０の斜面３１を下降した時、ベローズ２５は収縮しそして保持カップ２０の中に収容されている棒状口紅製品を突刺し掴む隆起部４０（図２Ｂに見られる）を形成する。隆起部４０の形成は棒状口紅製品が保持カップ２０から容易に取出されるのを阻止する。保持カップの中に収容されている製品の型に依存して、隆起部により必要とされる突刺しの量は変わる。しかし大きすぎる突刺しは棒状物を不必要に弱くし、また破損の原因となる可能性がある。好ましくは、隆起部は棒状物を最大で約３ミリメートルだけ突刺すようにする。
【００２４】
好ましくは、図４に見られるように、内側スリーブ２の長手方向軌道６は第１の下部側方部分５０と第２の下部側方部分５１とが設けられる。これら２つの下部側方部分５０と５１は保持カップ２０をケースの中に引込めその引込んだ位置に固定されたままとする。保持カップ２０がケースの中を下降するにつれて、保持カップ２０の突起２１と小突起３６とがそれぞれ、長手方向軌道６の第１の下部側方部分５０と第２の下部側方部分５１に整列する。内側スリーブ２と外側スリーブ１０の追加の僅かな回転により、保持カップ２０の突起２１と小突起３６とが下部側方部分５０と５１によって区画形成された経路に沿って動く。第１の下部側方部分５０と第２の下部側方部分５１とは隆起部４０が棒状口紅製品を掴み突刺すことのできる収縮位置にベローズ２５を保持するに十分な距離だけ間隔があけられている。下部側方部分５０と５１に対する利点は保持カップ２０が一時的に所定位置に固定されケースがひっくり返された時長手方向軌道６に沿って走行するのが阻止されることである。例えば、ケースがひっくり返された時、保持カップ２０の突起２１が第１の下部側方部分５０の最上面５２に接触し、そのため保持カップ２０が長手方向軌道６の長さに沿って保持カップ自身の重量のもとに又はケースが落下した後の保持カップ自身の運動量のもとに走行するのを阻止する。
【００２５】
保持カップのための材料の選択は、意図された棒状製品との適合性と選択された材料に対する製品の容易さとによって最初に決められる。使用することのできる材料はポリエチレン、ポリプロピレン、アセタール、ポリカーボネート、ポリ塩化ビニール、ポリエチレン−テレフタレート、アクリロニトリル−ブタジエン−スチレン、スチレン−アクリロニトリル、スチレンその他を含んでいる。好ましくは、この材料はポリプロピレン又はアセタールである。これら材料は両者ともベローズに相当量の可撓性を与える厚さに容易に成形することができる。また、これら材料は両者とも多くの製品に対し高度の化学的抵抗性をもたらす。
【００２６】
本発明とそのより広い形態は図示され記載された特定の詳細には限定されず、むしろ種々の変更が当業者に対して示唆されるものであり、全ての変更は本発明の範囲に含まれるものである。
【図面の簡単な説明】
【図１】  本発明の組立てられたケースの断面図である。
【図２Ａ】  本発明の保持カップの前進した位置における部分断面図である。
【図２Ｂ】  本発明の保持カップの後退した位置における部分断面図である。
【図３Ａ】  保持カップが前進位置に動かされるときの本発明の内側スリーブと保持カップを示す図である。
【図３Ｂ】  保持カップが前進位置に動かされるときの本発明の内側スリーブと保持カップを示す図である。
【図３Ｃ】  保持カップが前進位置に動かされるときの本発明の内側スリーブと保持カップを示す図である。
【図４】  保持カップが引込み位置にある時の本発明の内側スリーブと保持カップを示す図である。
【図１】
0003681981.tif 000002
【図２Ａ】
0003681981.tif 000003
【図２Ｂ】
0003681981.tif 000004
【図３Ａ】
0003681981.tif 000005
【図３Ｂ】
0003681981.tif 000006
【図３Ｃ】
0003681981.tif 000007
【図４】
0003681981.tif 000008